(57)【要約】 【課題】消費電力を低下させつつ列反転と同等の効果を達成することができるＬＣＤパネルを提供する。【解決手段】上記課題を解決するために、コモン電圧Ｖｃｏｍレベルを変化させるためのＶｃｏｍスイング波形を半フレーム時間単位で用いる。このようにして、Ｖｃｏｍスイングの周波数ｆをフレームリフレッシュ率と等しくする。このようにＶｃｏｍスイング周波数を低下させることにより寄生容量に起因する電力消費量は実質的に低減される。更に本件発明の駆動方式ではフレーム時間の片半分は全ての奇数列の駆動に用い、もう半分のフレーム時間は全ての偶数列の駆動に用いる。【選択図】図３
2007025644.tif 000002
【特許請求の範囲】
【請求項１】
複数の画素列がゲートライン信号により駆動され各画素内の液晶に印加される画素電圧がコモン電圧によって制御されて１フレーム時間で複数の連続したフレームの画像を表示するＬＣＤパネルの駆動方法であって、
ＬＣＤパネル駆動の１フレーム時間を前半フレーム時間と後半フレーム時間に分割し、前記コモン電圧は第１コモン電圧値と第２コモン電圧値を利用し、以下の２ステップでフレーム制御する列反転方式であることを特徴とするＬＣＤパネルの駆動方法。
第１ステップ：前半フレーム時間は第１コモン電圧値又は第２コモン電圧値の一方をＬＣＤパネルに印加し偶数番号又は奇数番号の画素列の一方をゲートライン信号によって逐次駆動させるステップ。
第２ステップ：後半フレーム時間は第１コモン電圧値又は第２コモン電圧値の他方をＬＣＤパネルに印加し偶数番号又は奇数番号の画素列の他方をゲートライン信号によって逐次駆動させるステップ。
【請求項２】
複数の画素列が複数の信号により駆動され各画素内の液晶に印加される画素電圧がコモン電圧によって制御されて１フレーム時間で複数の連続したフレームの画像を表示するＬＣＤパネルであって、
前記第１ステップ及び第２ステップの２ステップでフレーム制御する列反転方式を駆動方式に用いたことを特徴とする請求項１に記載のＬＣＤパネル。
【請求項３】
ＬＣＤパネルの駆動に用いる駆動モジュールであって、
下記サブモジュールＡ〜サブモジュールＣで構成されることを特徴とする請求項２に係るＬＣＤパネルの駆動に用いる駆動モジュール。
サブモジュールＡ：画像データ信号を画素に提供するデータサブモジュール
サブモジュールＢ：複数の連続した信号を提供し画素列を駆動する駆動サブモジュール
サブモジュールＣ：コモン電圧を上部基板に提供して電位を制御する制御サブモジュール
【請求項４】
１つのフレーム時間を前半フレーム時間と後半フレーム時間とに分割して制御するものであり、連続した２つのフレーム時間を第ｎフレーム時間及び第ｎ＋１フレーム時間としたとき、それぞれのフレーム時間の前半フレーム時間及び後半フレーム時間におけるコモン電圧値を以下のように制御する請求項３に記載の駆動モジュール。
第ｎフレーム時間の前半フレーム時間：第１コモン電圧値
第ｎフレーム時間の後半フレーム時間：第２コモン電圧値
第ｎ＋１フレーム時間の前半フレーム時間：第２コモン電圧値
第ｎ＋１フレーム時間の後半フレーム時間：第１コモン電圧値
【請求項５】
前期ＬＣＤパネルを構成する複数の奇数画素列又は偶数画素列の一方を前半フレーム時間にゲートライン信号によって逐次駆動し、奇数画素列又は偶数画素列の他方を前記後半フレーム時間にゲートライン信号によって逐次駆動する請求項３又は請求項４に記載の駆動モジュール。
【発明の詳細な説明】
【技術分野】
【０００１】
本件発明は、液晶ディスプレイパネルの駆動方法及び該駆動方法を用いた液晶ディスプレイパネル並びに該液晶ディスプレイパネルの駆動に用いる駆動モジュールに関する。特に、薄膜トランジスタを用いたアクティブマトリクス方式液晶ディスプレイパネルの駆動方法に関するものである。
【背景技術】
【０００２】
アクティブマトリクス方式液晶ディスプレイ（Ａｃｔｉｖｅ  Ｍａｔｒｉｘ  Ｌｉｑｕｉｄ  Ｃｒｉｓｔａｌ  Ｄｉｓｐｌａｙ：以下、ＡＭＬＣＤと称する。）であって薄膜トランジスタ（Ｔｈｉｎ  Ｆｉｌｍ  Ｔｒａｎｓｉｓｔｏｒ：以下、ＴＦＴと称する。）を用いたアクティブマトリクス方式液晶ディスプレイ（以下、ＴＦＴ−ＬＣＤと称する。）は当技術分野では周知のものである。ＴＦＴ−ＬＣＤは、上部基板および下部基板と、この２つの基板の間に配置された液晶層で構成されている。上部基板は、インジウムスズ酸化物（ＩＴＯ）で形成された透明上部電極と、カラー画像表示を提供するカラーフィルター層を含み、上部電極はコモン電圧Ｖｃｏｍに接続されている。下部基板は、図７に示すようにマトリックス状に配列された画素アレイの位置決めをする下部電極層構成となっている。各画素はＴＦＴをスイッチング素子として用いて制御される画素電極を有していることを特徴としている。
【０００３】
ＴＦＴ−ＬＣＤのうちカラーＬＣＤパネルでは、各画素はＲ、Ｇ、Ｂの３色のサブピクセルに更に分かれており、各サブピクセルはそれぞれ別の下部電極を有している。半透過型カラーＬＣＤパネルでは、各カラーサブピクセルは透過域と反射域とに更に区分することができ、それぞれの領域は個々に電極を有している。以下理解を容易にするために、本件発明と本件発明のバックグランドは画素単位で説明を行うこととする。
【０００４】
図７に示すように、一般的なＬＣＤパネル２００では、複数のデータライン２１２と複数のゲートライン２２２を有しており、各画素は２つの隣接するデータラインと２つの隣接するゲートラインによって位置決めされている。データライン信号Ｖｄａｔａは１つまたは複数のソースドライバ２１０より提供され、ゲートラインの信号Ｖｇａｔｅは、１つまたは複数のゲートドライバ２２０より提供される。ゲートドライバとソースドライバはＡＳＩＣ２３０により制御される。ＤＣ／ＤＣコンバータ２４０はソースドライバとゲートドライバを制御するＡＳＩＣに動力を提供するために一般的に使用されている。
【０００５】
ＬＣＤパネルにおける画素の等価回路図を図８に示し、画素の模式図を図９に示す。図８と図９に示すように、画素１００を構成するキャパシタＣｌｃ１１０は上部電極と画素電極の間に配置されている液晶でもある。キャパシタＣｌｃ１１０の片端部１４０は、コモンライン２５２上でコモン電圧Ｖｃｏｍに接続されている上部基板上の上部電極（コモン電極）でもある。キャパシタＣｌｃ１１０のもう一端である１５０は、ＴＦＴによってデータライン２１２ｍに接続される下部基板の画素電極でもある。ゲートライン２２２ｎにゲートライン信号が提供されるとＴＦＴのスイッチが入る。ＴＦＴが“オン”の状態になると液晶層でもあるキャパシタＣｌｃが充電され、画素電極端の電圧レベルＶｐｉｘｅｌはデータライン２１２ｍのデータ信号の電圧レベルと実質的に等しくなる。また、コモン電圧Ｖｃｏｍとデータ信号電圧Ｖｐｉｘｅｌとの電位差は画素電圧ΔＶとなり、これが画素１００の液晶層１３０の状態を決定する。一般的には、画素電極は電荷蓄積キャパシタＣｓｔ１２０の片端とも接続されており、ゲートライン信号が通過した後も画素電極の電圧レベルを保持できるよう画素内の電荷量を適切に蓄積しておく。よって、一般的な手法では、新しい電位が供給される前の１フレーム時間、画素の液晶層に印加される画素電圧ΔＶは少なくとも維持される。電荷蓄積キャパシタＣｓｔ１２０のもう一端は、下部基板の異なるコモンライン２５４に接続される。あるＬＣＤパネルでは、コモンライン２５４は、コモンライン２５２に電気的に接続されている。また、その他のパネルではコモンライン２５４は、隣接のゲートライン２２２ｎ＋１（非表示）に電気的に接続されている。
【０００６】
これら従来のＬＣＤパネルでは、複数の画素列をそれぞれ駆動するために複数のゲートラインを用いてゲートライン信号を提供し、複数の画素域に個別にデータ信号を提供するために複数のデータラインを用いている。ゲートラインとデータラインはＬＣＤパネルの下部基板に設置されている。透過型カラーＬＣＤパネルでは、画素はカラーサブピクセルに個々に対応している画素電極群を有している。そして、通常各カラーサブピクセルは下部基板に設置された１つまたは１つ以上の個別の充電蓄積キャパシタを有している。よって、電荷蓄積キャパシタにコモン電圧を提供するためには下部基板に大量のコモンラインを配置しなければならない。そして、ゲートライン、データラインとコモンラインとを絶縁するためには、下部基板の上に１つまたは１つ以上の絶縁層を一層づつ設置しなければならない。そして、絶縁層を構成する素材は、電荷蓄積キャパシタを形成するために用いる素材でもある。このように下部基板の回路構成が複雑なことから、コモンラインと、その他の例えばゲートライン、データライン、電荷蓄積キャパシタと画素電極などの回路部品の中には多くの異なる寄生容量源が存在しうるのである。この寄生容量もまたＬＣＤパネルの稼働時には電力を消費することになる。
【０００７】
そして通常、画素電圧ΔＶは新しい電位が供給される前の少なくとも１フレーム時間（ディスプレイのリフレッシュ周波数が６０Ｈｚの時は１６．６７ｍｓである）画素の液晶層に印加され続ける。ＬＣＤパネルがコンピュータのモニタとして用いられる場合、例えば特定画素の電位は同じレベルで長時間維持される。
【０００８】
長時間かなり高い直流電位が液晶層に印加された場合、液晶の光伝送の特性が変わる可能性があることはよく知られている。この変化は永久的なものであってＬＣＤパネルの表示品質に不可逆的な低下を招く。よって、通常は電位反転方式を用いて直流電位を交流電位に変換している。電位反転方式の１つでは、ゲートライン信号が新しい画素列を駆動した時に画素電圧ΔＶの極性を変えている。この反転方式は図１０に示すような列反転方式と言われる。列反転の効果を達成するために、コモン電圧Ｖｃｏｍのレベルは“列”時間毎に変えられる。交流方式によるコモン電圧Ｖｃｏｍの変更は、Ｖｃｏｍスイング（ｓｗｉｎｇ）と言われている。Ｖｃｏｍスイングとゲートライン信号の関係を図１１に示す。
【０００９】
画素容量Ｃの充放電に起因する消費電力Ｗは印加電圧Ｖ及びＶｃｏｍスイング周波数ｆの影響を受けており、その関係は下記数１としてよく知られている。よって、Ｖｃｏｍスイングの周波数ｆを低下させることで消費電力を減少させることができる。
【００１０】
【数１】
2007025644.tif 000003
【００１１】
一般的に、Ｖｃｏｍスイングの周波数または波形は、ＬＣＤパネルに用いられる電位反転方式と関係がある。例えば、図１０と図１１に示すような列反転方式では、Ｖｃｏｍスイングの周波数はパネル内の列の数に正比例している。行反転方式では、Ｖｃｏｍスイングの周波数はパネル内の行の数に正比例している。フレーム反転方式では、コモンライン電圧は各フレーム時間で１回の変更が必要とされる。これらの電位反転方式で供給されるゲートライン信号は共通であり、ゲートライン信号が列に対して順次提供される。即ち、画素列はゲートライン信号により同時に電位が反転されることになる。
【００１２】
図１０と図１１から見て取れるように、列反転方式ではコモンライン電圧は２つの隣接する列の間で変化させる必要がある。同じように行反転方式では、コモンライン電圧は２つの隣接する行の間で変化させる必要がある。フレーム反転方式では、図１２に示すようにコモンライン電圧は２つの隣接するフレームの間で変化させる必要がある。しかし、フレーム反転方式では画面のフリッカーを起こすことがあることもよく知られている。
【００１３】
列数Ｍを有するディスプレイでは、仮にリフレッシュ周波数が６０ＭＨｚであれば、列反転の効果を達成するためのＶｃｏｍスイングの周波数ｆは以下の数２で示される。
【００１４】
【数２】
2007025644.tif 000004
【００１５】
前述のように、電位Ｖが周波数ｆで変化する際のキャパシタＣの充放電による消費電力Ｗは以下の数３で示される。
【００１６】
【数３】
2007025644.tif 000005
【００１７】
このような列反転制御方式に関しては以下の特許文献１等に開示されている。上記特許文献１に開示の技術は列反転そのものに関しては有用であり、省電力への配慮がなされた制御方式とはなっている。
【００１８】
【特許文献１】特開２００２−１６９５１７号公報
【発明の開示】
【発明が解決しようとする課題】
【００１９】
しかしながら、近年のＬＣＤパネルにはコストアップ要因の無いまま良好な画像と同時に省電力化が望まれている。そして、従来の技術による基本的な列反転手法では比較的列数の多い画面では、列反転による消費電力も列数に比例して増加するのである。これはコモン電圧ＶｃｏｍをＬＣＤパネルに提供して画素を駆動する時、２つの極性の間で変化するＶｃｏｍスイングは、各画素に存在する画素容量を完全に、または部分的に充電する事によっている。そしてこれら画素容量はゲートラインと画素電極にも起因しうるのである。特に、ＬＣＤパネル制御用のスイッチング素子が低温ポリシリコン（ＬＴＰＳ：Ｌｏｗ  Ｔｅｍｐｅｒａｔｕｒｅ  Ｐｏｌｙ−ｓｉｌｉｃｏｎｅ）を用いて形成されたＴＦＴである場合には、下部基板と上部基板のコモン電極との間にＴＦＴに起因する余分な寄生容量が存在する可能性がある。よって、ＬＣＤパネルの画面品質を維持したままで消費電力を低下させることができる手法が必要とされていた。
【００２０】
そこで、以下に述べる発明をもって消費電力を低下させつつ電位反転の効果を達成することができる新しい手法及び該手法を用いたＬＣＤパネルを提供する。
【課題を解決するための手段】
【００２１】
本件発明では電位反転効果を達成するために２ステップでフレーム制御する列反転方式を採用し、コモン電圧Ｖｃｏｍレベルを変化させるためのＶｃｏｍスイング波形を１フレーム時間を半分に分割する位相で適用する。この駆動方式によれば片半分のフレーム時間は全ての奇数列の駆動に用いられ、もう半分のフレーム時間は全ての偶数列の駆動に用いられる。このようにして、Ｖｃｏｍスイングの周波数ｆをフレームリフレッシュ率と等しくし、従来のフレーム反転方式で問題となっていたフリッカーも解決するのである。この方式を用いてＶｃｏｍスイング周波数を低下させることにより画素容量に起因する電力消費量は低減されるのである。
【００２２】
本件発明は、複数の画素列がゲートライン信号により駆動され各画素内の液晶に印加される画素電圧がコモン電圧によって制御されて１フレーム時間で複数の連続したフレームの画像を表示するＬＣＤパネルの駆動方法であって、ＬＣＤパネル駆動の１フレーム時間を前半フレーム時間と後半フレーム時間に分割し、前記コモン電圧は第１コモン電圧値と第２コモン電圧値を利用し、以下の２ステップでフレーム制御する列反転方式であることを特徴とするＬＣＤパネルの駆動方法を提供する。
第１ステップ：前半フレーム時間は第１コモン電圧値又は第２コモン電圧値の一方をＬＣＤパネルに印加し偶数番号又は奇数番号の画素列の一方をゲートライン信号によって逐次駆動させるステップ。
第２ステップ：後半フレーム時間は第１コモン電圧値又は第２コモン電圧値の他方をＬＣＤパネルに印加し偶数番号又は奇数番号の画素列の他方をゲートライン信号によって逐次駆動させるステップ。
【００２３】
本件発明は、複数の画素列が複数の信号により駆動され各画素内の液晶に印加される画素電圧がコモン電圧によって制御されて１フレーム時間で複数の連続したフレームの画像を表示するＬＣＤパネルであって、前記第１ステップ及び第２ステップの２ステップでフレーム制御する列反転方式を駆動方式に用いたことを特徴とするＬＣＤパネルを提供する。
【００２４】
本件発明は、ＬＣＤパネルの駆動に用いる駆動モジュールであって、下記サブモジュールＡ〜サブモジュールＣで構成されることを特徴とするＬＣＤパネルの駆動に用いる駆動モジュールを提供する。
サブモジュールＡ：画像データ信号を画素に提供するデータサブモジュール
サブモジュールＢ：複数の連続した信号を提供し画素列を駆動する駆動サブモジュール
サブモジュールＣ：コモン電圧を上部基板に提供して電位を制御する制御サブモジュール
【００２５】
前記駆動モジュールは１つのフレーム時間を前半フレーム時間と後半フレーム時間とに分割して制御するものであり、連続した２つのフレーム時間を第ｎフレーム時間及び第ｎ＋１フレーム時間としたとき、それぞれのフレーム時間の前半フレーム時間及び後半フレーム時間におけるコモン電圧値を以下のように制御する事も好ましい。
第ｎフレーム時間の前半フレーム時間：第１コモン電圧値
第ｎフレーム時間の後半フレーム時間：第２コモン電圧値
第ｎ＋１フレーム時間の前半フレーム時間：第２コモン電圧値
第ｎ＋１フレーム時間の後半フレーム時間：第１コモン電圧値
【００２６】
前記駆動モジュールは、ＬＣＤパネルを構成する複数の奇数画素列又は偶数画素列の一方を前半フレーム時間にゲートライン信号によって逐次駆動し、奇数画素列又は偶数画素列の他方を前記後半フレーム時間にゲートライン信号によって逐次駆動する駆動モジュールであることもより好ましい。
【発明の効果】
【００２７】
本件発明によれば、列数Ｍを有するＬＣＤディスプレイにおける電位反転効果を達成するためにＶｃｏｍ電圧レベルをＭ回変化させることなくフレーム当たり１回のＶｃｏｍ電圧変化で同等の電位反転効果をフリッカーの発生無く達成できる。
【発明を実施するための最良の形態】
【００２８】
以下、本件発明が一層明確に理解されるよう、図１〜図６を参照しつつ詳細に説明する。
【００２９】
本件発明に係るＬＣＤパネルの駆動方法：本件発明に係るＬＣＤパネルの駆動方法は、本件発明は、複数の画素列がゲートライン信号により駆動され各画素内の液晶に印加される画素電圧がコモン電圧によって制御されて１フレーム時間で複数の連続したフレームの画像を表示するＬＣＤパネルの駆動方法であって、ＬＣＤパネル駆動の１フレーム時間を前半フレーム時間と後半フレーム時間に分割し、前記コモン電圧は第１コモン電圧値と第２コモン電圧値を利用し、以下の２ステップでフレーム制御する列反転方式であることを特徴としている。
第１ステップ：前半フレーム時間は第１コモン電圧値又は第２コモン電圧値の一方をＬＣＤパネルに印加し偶数番号又は奇数番号の画素列の一方をゲートライン信号によって逐次駆動させるステップ。
第２ステップ：後半フレーム時間は第１コモン電圧値又は第２コモン電圧値の他方をＬＣＤパネルに印加し偶数番号又は奇数番号の画素列の他方をゲートライン信号によって逐次駆動させるステップ。
【００３０】
即ち、本件発明に係る２ステップでフレーム制御する列反転方式によるＬＣＤパネルの前記駆動方法は、具体的には前記第１ステップ及び第２ステップが下記組合せ１〜組合せ４のいずれかになるのである。
【００３１】
＜組合せ１＞
第１ステップ：前半フレーム時間は第１コモン電圧値をＬＣＤパネルに印加し奇数番号の画素列をゲートライン信号によって逐次駆動させるステップ。
第２ステップ：後半フレーム時間は第２コモン電圧値をＬＣＤパネルに印加し偶数番号の画素列をゲートライン信号によって逐次駆動させるステップ。
【００３２】
＜組合せ２＞
第１ステップ：前半フレーム時間は第２コモン電圧値をＬＣＤパネルに印加し奇数番号の画素列をゲートライン信号によって逐次駆動させるステップ。
第２ステップ：後半フレーム時間は第１コモン電圧値をＬＣＤパネルに印加し偶数番号の画素列をゲートライン信号によって逐次駆動させるステップ。
【００３３】
＜組合せ３＞
第１ステップ：前半フレーム時間は第１コモン電圧値をＬＣＤパネルに印加し偶数番号の画素列をゲートライン信号によって逐次駆動させるステップ。
第２ステップ：後半フレーム時間は第２コモン電圧値をＬＣＤパネルに印加し奇数番号の画素列をゲートライン信号によって逐次駆動させるステップ。
【００３４】
＜組合せ４＞
第１ステップ：前半フレーム時間は第２コモン電圧値をＬＣＤパネルに印加し偶数番号の画素列をゲートライン信号によって逐次駆動させるステップ。
第２ステップ：後半フレーム時間は第１コモン電圧値をＬＣＤパネルに印加し奇数番号の画素列をゲートライン信号によって逐次駆動させるステップ。
【００３５】
本件発明は、ゲートライン信号に画素列を駆動させる電位反転方式において、従来とは異なる駆動方法を用いている。図１と図２に前記＜組合わせ１＞の例を示した。この例では、１フレーム時間内の前半レーム時間では第１コモン電圧が印加され、奇数画素列がゲートライン信号により順次駆動される。そして後半フレーム時間では第２コモン電圧が印加され、偶数画素列がゲートライン信号により順次駆動される。よって、コモンラインの電圧は、各フレーム時間の中間で１回だけ変更が必要とされる。しかし、図３に示すように、２つの隣接するフレームの間では、フレームの中の同じ画素列の極性を変えることが好ましいことから、コモン電圧Ｖｃｏｍは、２つの連続したフレームの間で１回変換された波形になる。よって、本件発明に係る２ステップでフレーム制御する列反転方式の効果を達成するためのコモンライン電圧の波形は図３に示すように、図１２に示す従来のフレーム反転方式のコモンライン電圧の波形と同じである。
【００３６】
本件発明の駆動方法を用いれば、フレーム反転方式で問題となるフリッカーを発生させることなく、Ｖｃｏｍスイングの周波数を実質的に減少させることができるのである。
【００３７】
本件発明のもう１つの実施例を図４と図５に示す。図に示すように、１フレーム時間の前半フレーム時間では、偶数列のみがゲートライン信号により順次駆動される。１フレーム時間の後半フレーム時間では、奇数列が順次駆動される。
【００３８】
要約すれば、本件発明は電位反転の効果を達成できる新しい方法を提供する。従来技術では、列数Ｍを有するＬＣＤディスプレイの電位反転効果を得るため、各フレーム内で画素を駆動する目的でＬＣＤパネルに提供されるコモン電圧ＶｃｏｍレベルをＭ回変えており、２つの極性の間で変動するＶｃｏｍスイングは、各画素の画素容量を完全に、または部分的に充電する可能性がある。しかし、本件発明では、各フレーム単位でコモン電圧Ｖｃｏｍの電圧レベルを１回変えるだけで、同じ効果を得ることができる。よって、Ｖｃｏｍスイングの周波数ｆは、フレームリフレッシュ率と等しい。
【００３９】
特に、ＬＣＤパネルの制御ユニットが低温ポリシリコンによって構成されている場合、下部基板のスイッチング素子と上部基板のコモンラインとの間に余分な寄生容量が存在する可能性がある。従って、Ｖｃｏｍスイングの周波数を下げることによって、寄生容量に起因する消費電力も低下させることができる。
【００４０】
本件発明に係るＬＣＤパネル：  本件発明に係るＬＣＤパネルは、複数の画素列が複数の信号により駆動され各画素内の液晶に印加される画素電圧がコモン電圧によって制御されて１フレーム時間で複数の連続したフレームの画像を表示するＬＣＤパネルであって、前記第１ステップ及び第２ステップの２ステップでフレーム制御する列反転方式を駆動方式に用いたことを特徴としている。
【００４１】
本件発明の実施例に基づいた液晶ディスプレイモジュールを図６に示す。図６に示すように、液晶ディスプレイモジュール１には、ＬＣＤパネル２００とＬＣＤパネルを駆動する駆動回路が含まれている。駆動回路には、画像データを表示パネルに提供する１つまたは１つ以上のソースドライバＩＣ３１０、駆動信号を提供して画素列を駆動する１つまたは１つ以上のゲートドライバ３２０と、ソースドライバチップ（ＩＣ）３１０とゲートドライバ３２０を制御するＡＳＩＣ３３０が含まれている。制御用ＡＳＩＣ３３０はまた、コモンライン３５２にコモン電圧Ｖｃｏｍを印加する。
【００４２】
一般的に、ＬＣＤパネルの入力データの映像レートは、例えば、Ｎａｔｉｏｎａｌ  ＴＶ  Ｓｔａｎｄａｒｄｓ  Ｃｏｍｍｉｔｔｅｅ（ＮＴＳＣ）のようなある映像基準に準拠する必要がある。よって、制御用ＡＳＩＣは、画素列に与える映像データをソースドライバＩＣ（図７参照）に順次提供し、同時にゲートライン信号を１つの列に順次提供する。本件発明の電位反転方式に合わせるためには、映像基準に準拠した映像データを、映像データが連続していない様式でソースドライバＩＣに提供されることができるように、映像バッファの中に保存されなければならない。図６に示すように、データバッファ３６０は、少なくともワンフレームの映像データを一時的に保存するために用いられる。データバッファ３６０は、ソースドライバチップ３１０の中に組み込むこともできる。また、データバッファ３６０をソースドライバチップ３１０と分離しておくこともできる。そして、ゲートドライバは、異なる列駆動方式を達成できるように設計されなければならない。
【００４３】
また、各フレーム時間毎に極性を変える代わりに、各２つのまたは２つ以上のフレーム時間毎に画素列の極性を変えることもできることを認識しておく必要がある。こうすることによりＶｃｏｍスイングの周波数を更に低下させることができる。
【００４４】
本件発明に係る駆動モジュール：  本件発明に係る駆動モジュールはＬＣＤパネルの駆動に用いる駆動モジュールであって、下記サブモジュールＡ〜サブモジュールＣで構成されることを特徴としている。
サブモジュールＡ：画像データ信号を画素に提供するデータサブモジュール
サブモジュールＢ：複数の連続した信号を提供し画素列を駆動する駆動サブモジュール
サブモジュールＣ：コモン電圧を上部基板に提供して電位を制御する制御サブモジュール
【００４５】
前述のように本件発明の電位反転方式に合わせるためには、映像基準に準拠した映像データを、映像データが連続していない様式でソースドライバＩＣに提供されることができるように、映像バッファの中に保存されることになる。したがって、保存された映像データを最適な信号として供給するにはサブモジュールを用い、それぞれを制御用ＡＳＩＣのもとで機能させることが良質な映像を得るためには好ましいのである。
【００４６】
前記駆動モジュールは１つのフレーム時間を前半フレーム時間と後半フレーム時間とに分割して制御するものであり、連続した２つのフレーム時間を第ｎフレーム時間及び第ｎ＋１フレーム時間としたとき、それぞれのフレーム時間の前半フレーム時間及び後半フレーム時間におけるコモン電圧値を以下のように制御する事も好ましい。
第ｎフレーム時間の前半フレーム時間：第１コモン電圧値
第ｎフレーム時間の後半フレーム時間：第２コモン電圧値
第ｎ＋１フレーム時間の前半フレーム時間：第２コモン電圧値
第ｎ＋１フレーム時間の後半フレーム時間：第１コモン電圧値
【００４７】
本件発明ではコモン電圧をフレーム時間の半ばで変化させるため、図３に示す波形に制御することが好ましいのである。前記では第ｎフレーム時間と第ｎ＋１フレーム時間が連続した例を示しているが、第ｎ＋２フレーム時間に続けると第ｎ＋１フレーム時間と第ｎ＋２フレーム時間の関係は第ｎフレーム時間と第ｎ＋１フレーム時間の順序を入れ替えた場合と同じである。すなわち、上記における第ｎフレーム時間と第ｎ＋１フレーム時間に印可する電圧値を入れ替えたとしても得られる効果は同等なのである。
【００４８】
前記駆動モジュールは、ＬＣＤパネルを構成する複数の奇数画素列又は偶数画素列の一方を前半フレーム時間にゲートライン信号によって逐次駆動し、奇数画素列又は偶数画素列の他方を前記後半フレーム時間にゲートライン信号によって逐次駆動する駆動モジュールであることもより好ましい。
【００４９】
即ち、前記駆動モジュールは、前記ＬＣＤパネルを構成する複数の奇数画素列を前半フレーム時間にゲートライン信号によって逐次駆動し、偶数画素列を前記後半フレーム時間にゲートライン信号によって逐次駆動する駆動モジュールであることも好ましく、前記ＬＣＤパネルを構成する複数の偶数画素列を前半フレーム時間にゲートライン信号によって逐次駆動し、奇数画素列を前記後半フレーム時間にゲートライン信号によって逐次駆動する駆動モジュールであることも好ましいのである。
【００５０】
図１及び図４に示すように、電位反転は偶数列、奇数列を交互に反転することによっても所期の効果が得られると同時に、フリッカーの発生を抑制する効果が得られるのである。
【００５１】
以上、本件発明の好適な実施態様を例示したが、これによって本件発明を限定しているものではなく、本件発明の精神及び範囲を逸脱しない限りにおいては、当業者であれば行い得る少々の変更や修飾を付加することは可能である。従って、本件発明が保護を請求する範囲は、特許請求の範囲を基準とする。
【産業上の利用可能性】
【００５２】
本件発明ではＬＣＤパネルの電位反転効果を達成するために、画素列を同時に異なるコモン電圧で駆動する代わりに、コモン電圧レベルを変化させるための電圧スイング波形を半フレーム時間単位で用いる駆動方式としている。これにより電圧スイング周波数が低下し画素容量に起因する電力消費量は低減され、ＬＣＤパネルの省電力化が達成できるのである。
【図面の簡単な説明】
【００５３】
【図１】本件発明に係る２ステップでフレーム制御する列反転方式に対応した１フレーム時間内のコモンライン電圧の波形である。
【図２】本件発明に係る２つの連続したフレームの中のゲートライン信号に対応したコモンライン電圧の波形である。
【図３】本件発明に係る複数の連続したフレームの反転手法に対応したコモンライン電圧の波形である。
【図４】本件発明の列反転手法に対応した１フレーム時間内のコモンライン電圧の波形である。
【図５】本件発明に係る２つの連続したフレームの中のゲートライン信号に対応したコモンライン電圧の波形である。
【図６】本件発明に係る列駆動パターンを達成するための駆動回路のブロック図の一例である。
【図７】一般的なＬＣＤパネルとＬＣＤパネルの駆動回路を示す模式図である。
【図８】１画素の等価回路である。
【図９】図８に記載された画素の模式図である。
【図１０】従来の列反転手法に基づいた１フレーム時間内の列単位駆動の模式図である。
【図１１】従来の列反転手法に基づいた２つの連続したフレームの中のゲートライン信号に対応したコモンライン電圧の波形である。
【図１２】従来のフレーム反転手法に対応した複数の連続したフレームのコモンライン電圧の波形である。
【符号の説明】
【００５４】
１                      液晶ディスプレイモジュール
１００                  画素
１１０                  液晶素子（保有する電荷容量はＣｌｃ）
１２０                  電荷蓄積キャパシタ（保有する電荷容量はＣｓｔ）
１３０                  液晶層
１４０                  コモン電極
１５０                  画素電極
２００                  ＬＣＤパネル
２１０、３１０          ソースドライバ
２１２                  データライン（ライン番号はサフィックスｍ等で示す）
２２０、３２０          ゲートドライバ
２２２                  ゲートライン（ライン番号はサフィックスｎ等で示す）
２３０、３３０          制御用ＡＳＩＣ
２４０                  ＤＣ／ＤＣコンバータ
２５２、２５４、３５２  コモンライン
３６０                  データバッファ
ＴＦＴ                  薄膜トランジスター（スイッチング素子）
【図１】
2007025644.tif 000006
【図２】
2007025644.tif 000007
【図３】
2007025644.tif 000008
【図４】
2007025644.tif 000009
【図５】
2007025644.tif 000010
【図６】
2007025644.tif 000011
【図７】
2007025644.tif 000012
【図８】
2007025644.tif 000013
【図９】
2007025644.tif 000014
【図１０】
2007025644.tif 000015
【図１１】
2007025644.tif 000016
【図１２】
2007025644.tif 000017